【手続補正書】
【提出日】平成23年3月17日(2011.3.17)
【手続補正１】
【補正対象書類名】明細書
【補正対象項目名】００８２
【補正方法】変更
【補正の内容】
【００８２】
このようにして本発明をかなり詳細に説明したが、当然ながらこのような詳細を固守する必要はなく、さらなる変化および修飾を当業者に提案することが可能であり、それらはいずれも添付の請求項で定義される本発明の範囲内に含まれる。
［本発明の態様］
１．（ａ）第一の繊維層と第二の繊維層とを含む第一のファブリック、ここで前記第一の繊維層は第一の樹脂マトリックス中に一方向に配向した不織繊維を含み、前記第一の繊維層の前記不織繊維は高強力繊維を含み、前記第一の繊維層は第一の表面と第二の表面とを含み、前記第二の繊維層は第二の樹脂マトリックス中に一方向に配向した不織繊維を含み、前記第二の繊維層の前記不織繊維は高強力繊維を含み、前記第二の繊維層は第一の表面と第二の表面とを含み、前記第二の繊維層の前記第一の表面は、前記第一の繊維層の前記第二の表面に隣接しており、前記第二の繊維層中の前記繊維は、前記第一の繊維層の一方向に配向した繊維の方向に対して所定角度で配置されている；および
（ｂ）多方向に配向した繊維を含む第二のファブリック、ここで前記繊維は任意に第三の樹脂マトリックス中に存在し、前記第二のファブリックは高強力繊維を含み、前記第二のファブリックは第一の表面と第二の表面とを有し、前記第二のファブリックの前記第一の表面は、前記第二の繊維層の前記第二の表面に隣接しており、前記第二のファブリックを前記第一のファブリックに直接的または間接的に結合させることによって、複合ファブリックが形成される；
を含む、多層の複合ファブリック。
２．前記第二のファブリックが、織られたファブリック、ニットのファブリック、編組したファブリック、フェルト化したファブリック、および、紙状のファブリックからなる群より選択されるファブリックを含む、１に記載の複合ファブリック。
３．前記第一および第二のファブリックが、接着剤によって結合される、１に記載の複合ファブリック。
４．少なくとも１つのプラスチックフィルムをさらに含み、前記プラスチックフィルムは、前記第一の繊維層と前記第二の繊維層との間に位置しており、前記プラスチックフィルムは、前記第一のファブリックと前記第二のファブリックとを一緒に結合させている、１に記載の複合ファブリック。
５．前記第一の繊維層の前記第一の表面に結合したプラスチックフィルムをさらに含む、４に記載の複合ファブリック。
６．前記第一のファブリックおよび前記第二のファブリックの前記高強力繊維が、ポリオレフィン繊維、アラミド繊維、ポリベンザゾール繊維、ポリビニルアルコール繊維、ポリアクリロニトリル繊維、液晶コポリエステル繊維、ポリアミド繊維、ポリエステル繊維、ガラス繊維、グラファイト繊維、炭素繊維、玄武岩、またはその他の鉱物繊維、剛直性棒状高分子繊維（ｒｉｇｉｄ ｒｏｄ ｐｏｌｙｍｅｒ ｆｉｂｅｒ）、および、それらのブレンドからなる群より選択される、１に記載の複合ファブリック。
７．前記第一のファブリックおよび前記第二のファブリックの前記高強力繊維が、高強力ポリエチレン繊維、アラミド繊維、ＰＢＯ繊維、グラファイト繊維、および、それらのブレンドからなる群より選択される、１に記載の複合ファブリック。
８．前記第一のファブリックおよび前記第二のファブリックの前記高強力繊維が、高強力ポリエチレン繊維、および／または、アラミド繊維を含む、１に記載の複合ファブリック。
９．前記第一のファブリックの前記高強力繊維が、前記第二のファブリックの前記高強力繊維と化学的に同一である、８に記載の複合ファブリック。
１０．前記第二のファブリックが、織られたファブリックの形態である、１に記載の複合ファブリック。
１１．前記第一のファブリックの前記高強力繊維が、アラミド繊維を含み、前記第二のファブリックの前記高強力繊維が、アラミド繊維を含む、１に記載の複合ファブリック。
１２．前記第二のファブリックが、織られたファブリックの形態である、１１に記載の複合ファブリック。
１３．前記第一および第二の繊維層が、前記第一の繊維層の繊維方向が前記第二の繊維層の前記繊維の繊維方向に対して約９０°の角度であるように配置されている、１に記載の複合ファブリック。
１４．（ａ）第一の繊維層と第二の繊維層とを含む第一のファブリック、ここで前記第一の繊維層は第一の樹脂マトリックス中に一方向に配向した不織繊維を含み、前記第一の繊維層の前記不織繊維は高強力繊維を含み、前記第一の繊維層は第一の表面と第二の表面とを含み、前記第二の繊維層は第二の樹脂マトリックス中に一方向に配向した不織繊維を含み、前記第二の繊維層の前記不織繊維は高強力繊維を含み、前記第二の繊維層は第一の表面と第二の表面とを含み、前記第二の繊維層の前記第一の表面は、前記第一の繊維層の前記第二の表面に隣接しており、前記第二の繊維層中の前記繊維は、前記第一の繊維層の一方向に配向した繊維の方向に対して所定角度で配置されている；
（ｂ）任意に、前記第一のファブリックの前記第一の繊維層の前記第一の表面に結合する第一のプラスチックフィルム；
（ｃ）前記第一のファブリックの前記第二の繊維層の前記第二の表面に結合する第二のプラスチックフィルム；および、
（ｄ）多方向に配向した繊維を含む第二のファブリック、ここで前記繊維は任意に第三の樹脂マトリックス中に存在し、前記第二のファブリックは高強力繊維を含み、前記第二のファブリックは第一の表面と第二の表面とを有し、前記第二のファブリックの前記第一の表面は、前記第二のプラスチックフィルムに結合している；
を含む多層の複合ファブリック。
１５．前記第一のファブリックおよび前記第二のファブリックの前記高強力繊維が、高強力ポリエチレン繊維、および／または、アラミド繊維を含む、１４に記載の複合ファブリック。
１６．前記第一および第二の繊維層が、前記第一の繊維層の繊維方向が前記第二の繊維層の前記繊維の繊維方向に対して約９０°の角度であるように配置されている、１５に記載の複合ファブリック。
１７．前記第二のファブリックが、織られたファブリックの形態である、１６に記載の複合ファブリック。
１８．１に記載の多層の複合ファブリックを含む防弾用品。
１９．約２〜約６０層の１に記載の多層の複合ファブリックを含む防弾用品。
２０．（ａ）第一の樹脂マトリックス中に一方向に配向した不織繊維を含む第一の繊維層を供給すること、ここで前記第一の繊維層の前記不織繊維は高強力繊維を含み、前記第一の繊維層は第一の表面と第二の表面とを含む；
（ｂ）第二の樹脂マトリックス中に一方向に配向した不織繊維を含む第二の繊維層を供給すること、ここで前記第二の繊維層の前記不織繊維は高強力繊維を含み、前記第二の繊維層は第一の表面と第二の表面とを含む；
（ｃ）前記第一および第二の繊維層を互いに結合させて、前記第二の繊維層の前記第一の表面が、前記第一の繊維層の前記第二の表面に隣接しており、前記第二の繊維層中の前記繊維が、前記第一の繊維層の一方向に配向した繊維の方向に対して所定角度で配置されるようにすること；
（ｄ）任意に、前記第一の繊維層の前記第一の表面に第一のプラスチックフィルムを適用すること；
（ｅ）前記第二の繊維層の前記第二の表面に、第二のプラスチックフィルムを適用すること；
（ｆ）多方向に配向した繊維を含む第二のファブリックを供給すること、ここで前記繊維は任意に第三の樹脂マトリックス中に存在し、前記第二のファブリックは高強力繊維を含み、前記第二のファブリックは第一の表面と第二の表面とを有する；および、
（ｇ）前記第二のプラスチックフィルムに、前記第二のファブリックの前記第一の表面を結合させることによって、複合ファブリックを形成すること、
を含む、複合ファブリック構造の形成方法。
２１．前記第二のファブリックが、織られたファブリックを含む、２０に記載の方法。
２２．前記第一のファブリックおよび前記第二のファブリックの前記高強力繊維が、高強力ポリエチレン繊維、および／または、アラミド繊維を含む、２０に記載の方法。
【手続補正２】
【補正対象書類名】特許請求の範囲
【補正対象項目名】全文
【補正方法】変更
【補正の内容】
【特許請求の範囲】
【請求項１】
（ａ）第一の繊維層と第二の繊維層とを含む第一のファブリック、ここで前記第一の繊維層は第一の樹脂マトリックス中に一方向に配向した不織繊維を含み、前記第一の繊維層の前記不織繊維は高強力繊維を含み、前記第一の繊維層は第一の表面と第二の表面とを含み、前記第二の繊維層は第二の樹脂マトリックス中に一方向に配向した不織繊維を含み、前記第二の繊維層の前記不織繊維は高強力繊維を含み、前記第二の繊維層は第一の表面と第二の表面とを含み、前記第二の繊維層の前記第一の表面は、前記第一の繊維層の前記第二の表面に隣接しており、前記第二の繊維層中の前記繊維は、前記第一の繊維層の一方向に配向した繊維の方向に対して所定角度で配置されている；および
（ｂ）多方向に配向した繊維を含む第二のファブリック、ここで前記繊維は任意に第三の樹脂マトリックス中に存在し、前記第二のファブリックは高強力繊維を含み、前記第二のファブリックは第一の表面と第二の表面とを有し、前記第二のファブリックの前記第一の表面は、前記第二の繊維層の前記第二の表面に隣接しており、前記第二のファブリックを前記第一のファブリックに直接的または間接的に結合させることによって、複合ファブリックが形成される；
を含む、多層の複合ファブリック。
【請求項２】
（ａ）第一の繊維層と第二の繊維層とを含む第一のファブリック、ここで前記第一の繊維層は第一の樹脂マトリックス中に一方向に配向した不織繊維を含み、前記第一の繊維層の前記不織繊維は高強力繊維を含み、前記第一の繊維層は第一の表面と第二の表面とを含み、前記第二の繊維層は第二の樹脂マトリックス中に一方向に配向した不織繊維を含み、前記第二の繊維層の前記不織繊維は高強力繊維を含み、前記第二の繊維層は第一の表面と第二の表面とを含み、前記第二の繊維層の前記第一の表面は、前記第一の繊維層の前記第二の表面に隣接しており、前記第二の繊維層中の前記繊維は、前記第一の繊維層の一方向に配向した繊維の方向に対して所定角度で配置されている；
（ｂ）任意に、前記第一のファブリックの前記第一の繊維層の前記第一の表面に結合する第一のプラスチックフィルム；
（ｃ）前記第一のファブリックの前記第二の繊維層の前記第二の表面に結合する第二のプラスチックフィルム；および、
（ｄ）多方向に配向した繊維を含む第二のファブリック、ここで前記繊維は任意に第三の樹脂マトリックス中に存在し、前記第二のファブリックは高強力繊維を含み、前記第二のファブリックは第一の表面と第二の表面とを有し、前記第二のファブリックの前記第一の表面は、前記第二のプラスチックフィルムに結合している；
を含む多層の複合ファブリック。
【請求項３】
（ａ）第一の樹脂マトリックス中に一方向に配向した不織繊維を含む第一の繊維層を供給すること、ここで前記第一の繊維層の前記不織繊維は高強力繊維を含み、前記第一の繊維層は第一の表面と第二の表面とを含む；
（ｂ）第二の樹脂マトリックス中に一方向に配向した不織繊維を含む第二の繊維層を供給すること、ここで前記第二の繊維層の前記不織繊維は高強力繊維を含み、前記第二の繊維層は第一の表面と第二の表面とを含む；
（ｃ）前記第一および第二の繊維層を互いに結合させて、前記第二の繊維層の前記第一の表面が、前記第一の繊維層の前記第二の表面に隣接しており、前記第二の繊維層中の前記繊維が、前記第一の繊維層の一方向に配向した繊維の方向に対して所定角度で配置されるようにすること；
（ｄ）任意に、前記第一の繊維層の前記第一の表面に第一のプラスチックフィルムを適用すること；
（ｅ）前記第二の繊維層の前記第二の表面に、第二のプラスチックフィルムを適用すること；
（ｆ）多方向に配向した繊維を含む第二のファブリックを供給すること、ここで前記繊維は任意に第三の樹脂マトリックス中に存在し、前記第二のファブリックは高強力繊維を含み、前記第二のファブリックは第一の表面と第二の表面とを有する；および、
（ｇ）前記第二のプラスチックフィルムに、前記第二のファブリックの前記第一の表面を結合させることによって、複合ファブリックを形成すること、
を含む、複合ファブリック構造の形成方法。